(57)【要約】【課題】  電線１０と端子台カバー６００との隙間を極力狭く保って、端子台カバー６００に開口された、電線１０が挿入されるカバー挿入孔６１１からの塵埃の侵入を防ぎ、使い勝手が良く安全性の高い端子台カバー６００を備えた点灯装置１を得る。【解決手段】  点灯装置１は、端子台５の端子挿入孔５１２が形成されている面を覆い、端子挿入孔５１２と対向する位置に端子挿入孔５１２と連通するカバー貫通孔６１１が形成されている外郭カバー７１０と、端子貫通孔５１２を塞ぐように設けられ、外郭カバー７１０よりも弾性の高い材料で、外郭カバー７１０よりも薄い厚みに形成された孔カバー７２０と、を有する端子台カバー６００を備えたので、端子台５に電線１０を接続させる作業を行う場合、孔カバー７２０を切除するなどの調整作業を行わずに、孔カバー７２０に直接電線１０を突き刺すだけで、電線１０を貫通させることができる。【選択図】          図５
2015106560.tif 000002
【特許請求の範囲】
【請求項１】
端子台の、電線が挿入される挿入孔が形成されている面を覆い、前記挿入孔と対向する位置に前記挿入孔と連通する貫通孔が形成されている外郭カバーと、
前記貫通孔を塞ぐように設けられ、弾性材料によって、前記電線によって突き破ることができる薄さに形成された孔カバーと、
を有することを特徴とする端子台カバー。
【請求項２】
前記孔カバーは、前記外郭カバーの前記端子台と対向する面に設けられていることを特徴とする請求項１に記載の端子台カバー。
【請求項３】
前記外郭カバーは、前記貫通孔の周縁に前記孔カバーが入り込む挿入空間を有し、
前記孔カバーは、前記挿入空間に挿入されていることを特徴とする請求項１に記載の端子台カバー。
【請求項４】
前記孔カバーは、
前記外郭カバーの側面に設けられ、前記貫通孔を塞ぐ閉塞部と、
前記貫通孔に挿入され、前記貫通孔の内径よりも長い長さの外径を有する筒形状の挿入部と、
を備えていることを特徴とする請求項１または２のいずれかに記載の端子台カバー。
【請求項５】
前記孔カバーは、
前記外郭カバーの側面に設けられ、前記貫通孔を塞ぐ閉塞部と、
前記貫通孔に挿入され、前記前記外郭カバーの厚みとほぼ等しい長さに形成される筒形状の挿入部と、
前記貫通孔によって塞がれている面とは異なる、前記外郭カバーの側面に設けられ、前記貫通孔の周縁よりも外側を覆う円環状の円環部と、
を備えていることを特徴とする請求項１または２のいずれかに記載の端子台カバー。
【請求項６】
前記孔カバーの、前記貫通孔を塞ぐ部分の厚みは、１．１ｍｍ以内であることを特徴とする請求項１〜５のいずれかに記載の端子台カバー。
【請求項７】
前記孔カバーには、前記挿入孔と対向する位置に放射状の切込みが形成されていることを特徴とする請求項１〜５のいずれかに記載の端子台カバー。
【請求項８】
端子台の、電線が挿入される挿入孔が形成されている面を覆い、前記挿入孔と対向する位置に前記挿入孔と連通する貫通孔が形成されている外郭カバーと、
前記貫通孔を塞ぐように設けられ、前記挿入孔と対向する位置に放射状の切込みを有し、弾性材料によって形成された孔カバーと、
を有することを特徴とする端子台カバー。
【請求項９】
前記切込みの長さは、前記端子台に挿入される前記電線の外径よりも短い長さであることを特徴とする請求項７または８のいずれかに記載の端子台カバー。
【請求項１０】
前記孔カバーは、引張強度８０ｋｇｆ／ｃｍ２以上の特性を有していることを特徴とする請求項１〜９のいずれかに記載の端子台カバー。
【請求項１１】
前記孔カバーの厚みと前記外郭カバーの厚みの和が２．０ｍｍ以上あることを特徴とする請求項１〜１０のいずれかに記載の端子台カバー。
【請求項１２】
点灯回路を備える点灯基板と、
前記点灯基板に実装され、内部に電極を有するとともに、前記電極と接続する電線を挿入するための挿入孔を開口した端子台と、
前記端子台カバーに取付けられる請求項１〜１１のいずれかに記載の端子台カバーと、
を備えたことを特徴とする点灯装置。
【請求項１３】
請求項１２に記載の点灯装置と、
前記点灯装置によって点灯される光源と、
を備えたことを特徴とする照明器具。
【発明の詳細な説明】
【技術分野】
【０００１】
本発明は、端子台カバー、端子台カバーを備えた点灯装置、端子台カバーを備えた点灯装置を有する照明器具に関する。
【背景技術】
【０００２】
従来、照明器具に設けられた端子台を覆う端子台カバーにおいて、端子台に電線を接続させる際に、端子台カバーを外さずに接続作業がおこなえるよう端子台カバーには開口部が設けられている。（例えば特許文献１参照。）
【０００３】
しかしながら、端子台カバーに開口された開口部を介して、端子台の内部に塵埃が浸入すると、接触不良又は短絡を引き起こす原因になるおそれがある。そこで、端子台への塵埃の侵入を防止するために、開口部を被覆片（カバー）で覆い、端子台の周囲をほぼ完全に密閉して塵埃が端子台の内部に侵入するおそれをなくし、接触不良又は短絡などを未然に防止できる端子台カバーが提案されている。（例えば、特許文献２参照。）
【先行技術文献】
【特許文献】
【０００４】
【特許文献１】特開２０１２−２８３１７号公報（第７，８頁、第１、７図）
【特許文献２】実願平３−５４５２（実開平４−９８２４０号）のＣＤ−ＲＯＭ（第７頁、図１）
【発明の概要】
【発明が解決しようとする課題】
【０００５】
しかしながら、従来の端子台カバーでは、電線を接続させる際に、電線の太さに合わせて被覆片を切除し電線が挿入される穴を開けなくてはならず、電線の太さを測定する作業や被覆片を電線の形に合わせて切除する作業などを要し、とても手間のかかる、使い勝手の悪いものであった。また、人間の手によって被覆片の切除作業を行う場合には失敗する可能性も高く、被覆片を切除する量を誤ると、被覆片と電線の間に隙間が発生し、その隙間から端子台の内部に塵埃が浸入してしまい、結局被覆片の意味をなさないおそれがあった。
【０００６】
本発明は上記のような課題を解決するためになされたもので、電線を接続させる際に、被覆片の一部を切除するなどの調整作業を行わなくても電線を端子台カバーへ電線を挿入させることができるとともに、電線と端子台カバーとの隙間を極力狭く保って、端子台カバーに開口された、電線が挿入される開口部からの塵埃の侵入を防ぐことができる、使い勝手が良く安全性の高い端子台カバーを備えた点灯装置を有する照明器具を得るものである。
【課題を解決するための手段】
【０００７】
この発明に係る点灯装置は、端子台の挿入孔が形成されている面を覆い、挿入孔と対向する位置に挿入孔と連通する貫通孔が形成されている外郭カバーと、貫通孔を塞ぐように設けられ、外郭カバーよりも弾性の高い材料で、外郭カバーよりも薄い厚みに形成された孔カバーと、を有する端子台カバーを備えた点灯装置である。
【発明の効果】
【０００８】
本発明は、端子台カバーに開口された開口部を電線によって破くことが容易な、厚みの薄い孔カバーで覆っているので、端子台に電線を接続させる作業を行う場合、孔カバーを切除するなどの調整作業を行わずに、孔カバーに直接電線を突き刺すだけで、電線を貫通させることができる。
また、孔カバーは、弾性材料で形成され、外力を加えられて変形した後、外力が取り去られると元に戻ろうとする性質を有しているので、貫通した電線によって破られ分割された孔カバーが電線の周りに密着し、電線と孔カバーとの隙間を極力狭くすることができるので、端子台への塵埃の侵入を防ぐことができる。
【図面の簡単な説明】
【０００９】
【図１】本実施の形態１に係る照明器具の構成を示す斜視図である。
【図２】本実施の形態１に係る点灯装置の構成を示す斜視図である。
【図３】本実施の形態１に係る点灯装置の端子台カバーを外した状態を示す斜視図であり、様子を示す拡大図である。
【図４】本実施の形態１に係る点灯装置の端子台および端子台カバーの断面図である。
【図５】本実施の形態１に係る点灯装置の端子台および端子台カバーに電線を接続した状態を示す断面図である。
【図６】本実施の形態１に係る点灯装置の端子台カバーの斜視図であり、（ａ）は端子台カバーの上面斜視図であり、（ｂ）は端子台カバーの下面斜視図である。
【図７】本実施の形態１に係る端子台カバーの孔カバーの構成を示す図である。
【図８】本実施の形態１に係る端子台カバーの孔カバーに電線を挿入させたときの挿入力の測定結果を示すグラフである。
【図９】本実施の形態２に係る点灯装置の端子台および端子台カバーの断面図である。
【図１０】本実施の形態２に係る点灯装置の端子台カバーの斜視図であり、（ａ）は端子台カバーの上面斜視図であり、（ｂ）は端子台カバーの下面斜視図である。
【図１１】本実施の形態２に係る端子台カバーの孔カバーの構成を示す図である。
【図１２】本実施の形態３に係る点灯装置の端子台および端子台カバーの断面図である。
【図１３】本実施の形態３に係る点灯装置の端子台カバーの斜視図であり、（ａ）は端子台カバーの上面斜視図であり、（ｂ）は端子台カバーの下面斜視図である。
【図１４】本実施の形態３に係る端子台カバーの孔カバーの構成を示す図である。
【図１５】本実施の形態４に係る点灯装置の端子台および端子台カバーの断面図である。
【図１６】本実施の形態４に係る点灯装置の端子台カバーの斜視図であり、（ａ）は端子台カバーの上面斜視図であり、（ｂ）は端子台カバーの下面斜視図である。
【図１７】本実施の形態４に係る端子台カバーの孔カバーの構成を示す図である。
【図１８】本実施の形態５に係る点灯装置の端子台および端子台カバーの断面図である。
【図１９】本実施の形態５に係る点灯装置の端子台カバーの斜視図であり、（ａ）は端子台カバーの上面斜視図であり、（ｂ）は端子台カバーの下面斜視図である。
【図２０】本実施の形態５に係る端子台カバーの孔カバーの構成を示す図である。
【発明を実施するための形態】
【００１０】
以下、本発明に係る点灯装置の好適な実施の形態について図を参照して説明する。なお、これらの実施の形態によって本発明が限定されることはない。
【００１１】
実施の形態１．
図１は本実施の形態１に係る照明器具の斜視図であり、図２は本実施の形態１に係る点灯装置の斜視図であり、図３は本実施の形態１に係る点灯装置の端子台カバーを外した状態を示す斜視図であり、図４は本実施の形態１に係る点灯装置の端子台および端子台カバーの断面図であり、図５は本実施の形態１に係る点灯装置の端子台および端子台カバーに電線を接続した状態を示す断面図であり、図６（ａ）は本実施の形態１に係る点灯装置の端子台カバーの上面斜視図であり、図６（ｂ）は端子台カバーの下面斜視図であり、図７は本実施の形態１に係る端子台カバーの孔カバーの構成を示す図であり、図８は、本実施の形態１に係る端子台カバーの孔カバーに電線を挿入させたときの挿入力の測定結果を示すグラフである。
【００１２】
本実施の形態に係る点灯装置１は、図１に示すように、照明器具２の本体に取り付けられ、例えば、直管型ＬＥＤ（Ｌｉｇｈｔ・Ｅｍｉｔｔｉｎｇ・Ｄｉｏｄｅ：発光ダイオード）ベースライト等の光源（図示なし）を点灯させる点灯装置である。
【００１３】
点灯装置１は、図２に示すように、回路基板３が載置され、上部が開口された、断面が「角が直角なＵ字」形状の点灯装置ケース４ａと、点灯装置ケース４ａの上部開口部を覆うように取り付けられる点灯装置カバー４ｂとを備えている。
【００１４】
回路基板３は、電子部品が実装される長方形の基板であり、点灯装置ケース４ａの底部近傍に、点灯装置ケース４ａの底面と平行に取り付けられ、回路基板３の長手方向の一方の端部に入力端子台５ａを実装し、回路基板３の長手方向の他方の端部に出力端子台５ｂを実装している。また、回路基板３は、入力端子台５ａ、出力端子台５ｂが実装された両端面を除く回路基板３の中央面が、点灯装置カバー４ｂによって覆われている。
【００１５】
入力端子台５ａは、商用電源ＡＣを回路基板３に入力する電線を接続する端子台であり、出力端子台５ｂは、回路基板３によって交流から直流に変換された電流を光源（図示せず）に出力する電線を接続する端子台である。入力端子台５ａは入力端子台カバー６００ａに覆われ、出力端子台５ｂは出力端子台カバー６００ｂによって覆われている。
【００１６】
なお、入力端子台５ａの構造と出力端子台５ｂの構造は、ほぼ同じであるため、以下では入力端子台５ａと出力端子台５ｂとの区別をせず、端子台５と総称して説明する。同様に、入力端子台カバー６００ａの構造と出力端子台カバー６００ｂの構造がほぼ同じであるため、以下では入力端子台カバー６００ａと出力端子台カバー６００ｂとの区別をせず、端子台カバー６００と総称して説明する。
【００１７】
次に、図３〜図５を用いて、端子台５の構成について詳細に説明する。
【００１８】
端子台５は、外郭ケース５１０と、外郭ケース５１０に収納される内部電極５２０を備えている。
【００１９】
外郭ケース５１０は、図３、図４に示すように、ほぼ直方体形状をなしているが、回路基板３の長手方向外側（回路基板３の中心向きとは反対の向き）を向いている面は上側と下側とで奥行きの異なる段差を形成し、手前（回路基板３の中心向きとは反対の向き）に飛び出している面を、以下、端子凸面５１１という。
【００２０】
端子凸面５１１には、電線１０を端子台５に挿入するための開口部（挿入孔）である端子挿入孔５１２が２個形成されており、端子台５の天面である端子天面５１３には、端子挿入孔５１２に挿入された電線を引き出す際に使用する開口部である、端子解除孔５１４が２個形成されている。
【００２１】
内部電極５２０は、図４に示すように、電線１０と電気的に接続する電極外郭５２１と、電極外郭５２１内に収容され、電線１０を電極外郭５２１に押し付けるための「Ｖ字」形状の、導電性を有するバネ部５２２を備えている。
【００２２】
図５に示すように、内部電極５２０に電線１０が挿入されると、電線１０が電極外郭５２１とバネ部５２２の間に挟まれ、電線１０の先端を覆っている被覆部１１の先端部分を剥がして露出された露出芯線１２を、バネ部５２２が電極外郭５２１に押し付けることで、電線１０と端子台５が電気的に結合する。
【００２３】
このとき、露出芯線１２が電極外郭５２１とバネ部５２２に挟まれ嵌合しているため、所定の強さまでの力であれば、電線１０を引っ張っても電線１０が端子台５から抜けることはない。
【００２４】
電線１０を端子台５から抜く場合には、端子台５の端子天面５１３に形成された端子解除孔５１４から、マイナスドライバーなどの工具を挿入し、バネ部５２２を押し下げることで、バネ部５２２と電極外郭５２１に挟まれていた電線１０が開放され、電線１０を端子台５から引き抜くことが可能になる。
【００２５】
次に、図４〜図６を用いて、端子台カバー６００の構成について詳細に説明する。
【００２６】
端子台カバー６００は、図４に示すように、端子台５を覆うように取り付けられ、外郭カバー６１０と、外郭カバー６１０に開口したカバー挿入孔６１１を塞ぐ孔カバー６２０を備えている。
【００２７】
外郭カバー６１０は、ＡＢＳ等のプラスチック部材のような弾性の高くない絶縁性材料によって形成されており、端子台５の側面である、端子凸面５１１を覆うカバー側面６１２と、端子台５の天面である、端子天面５１３を覆うカバー天面６１３を有している。
【００２８】
外郭カバー６１０には、外郭カバー６１０の位置を固定し、端子台５から容易に外れないよう設けられた、３組の凸部である、カバー凸部６１４、接触部６１５、スライド規制部６１６が形成されている。
【００２９】
図６（ａ）、図６（ｂ）に示すように、カバー凸部６１４は、カバー側面６１２の下端部から端子台５の方向に突出した凸部であり、端子台カバー６００が端子台５に取り付けられた際に、カバー凸部６１４が、端子台５の端子凸面５１１の下部の段差に係止されるように形成され、端子台５の上下をカバー天面６１３とカバー凸部６１４によって挟むことにより、端子台カバー６００が端子台５の上下方向にずれるのを防止している。
【００３０】
接触部６１５は、カバー天面６１３の端部から端子台５の方向に突出した凸部であり、端子台カバー６００が端子台５に取り付けられたときに、接触部６１５の側面が、端子台５の側面に接触するように形成され、端子台５の端子天面５１３をカバー側面６１２と接触部６１５によって挟むことにより、端子台カバー６００が回路基板３の長手方向にずれるのを防止している。
【００３１】
スライド規制部６１６は、カバー天面６１３の両側の側部の一部から下方に突出した凸部であり、端子台カバー６００が端子台５に取り付けられたときに、端子台５の短手方向に対する両側面（回路基板３の長手方向に走る両側面）に接触するように形成され、端子台５の短手方向の両側を二つのスライド規制部６１６によって挟みこむことにより、端子台カバー６００が回路基板３の短手方向にずれるのを防止している。
【００３２】
また、外郭カバー６１０のカバー天面６１３には、図４、図６（ａ）、図６（ｂ）に示すように、端子台５に形成された端子解除孔５１４と対向する位置に、カバー天面６１３を貫通し、端子解除孔５１４と連通する貫通孔であるカバー解除孔６１７が、端子台５に形成された端子解除孔５１４それぞれと対応するよう、２個形成されている。
【００３３】
さらに、外郭カバー６１０のカバー側面６１２には、端子台５に形成された端子挿入孔５１２と対向する位置に、外郭カバー６１０を貫通し、端子挿入孔５１２と連通する貫通孔である、カバー挿入孔６１１が、端子台５に形成された端子挿入孔５１２それぞれと対応するよう、２個形成されている。
【００３４】
カバー挿入孔６１１の直径は、電線１０の被覆部１１を含んだ直径とほぼ同等もしくは電線１０の被覆部１１を含んだ直径よりも大きく形成されており、カバー挿入孔６１１は、角穴等の形状でも良いが、電線１０を挿入することを考慮すると丸穴が好適である。
【００３５】
孔カバー６２０は、シリコーン樹脂のような弾性の高い絶縁性材料によって外郭カバー６１０よりも薄い厚みで形成されたカバーであり、図７に示すように、外郭カバー６１０に設けられた２個のカバー挿入孔６１１を塞ぐよう長方形の形状を有し、端子台５と対向する、カバー側面６１２の、端子台５と対向している側の面（以下、裏側面という）に接着剤によって貼付されている。
【００３６】
また、孔カバー６２０の厚みは、カバー側面６１２の厚みよりも薄く形成されており、電気用品安全法の規定から、カバー側面６１２の厚みと合わせて２．０ｍｍ以上になるよう形成することが望ましく、さらに、電線１０によって突き破ることができる厚みにすることが望ましい。
【００３７】
図８に示すグラフは、厚みの異なるシリコーン樹脂を複数用意し、そのシリコーン樹脂に電線を挿入させたときの挿入力の測定結果を示すものであり、図８に示すグラフに示した値は、厚みの異なるシリコーン樹脂ごとに２回測定した平均である。
【００３８】
挿入力１０Ｎで挿入した場合、端子台側に不具合が生じてしまったため、このグラフから、挿入することが可能な厚さの限界は１．１ｍｍであることが確認できる。よって、カバー側面６１２における、電線１０によって突き破ることができる厚みは、１．１ｍｍ未満であることが望ましい。
【００３９】
また、電線１０が貫通した際に、電線１０の被覆部１１と、電線１０が挿入されたことによって拡がる孔カバー６２０との隙間は、電気用品安全法の規定から、０．５ｍｍ未満になるように設定することが望ましく、孔カバー６２０の材質は、外力で変形した物体が力を取り去ると元に戻ろうとする性質を高く備えた、例えば、引張強度８０ｋｇｆ／ｃｍ２以上の特性を有する材質が望ましい。
【００４０】
なお、孔カバー６２０の形状は、楕円や多角形等でも良いが、カバー側面６１２と同じ長方形にすることで、カバー側面６１２に貼り付ける際、カバー側面６１２に対して平行かどうか一目で確認でき、孔カバーが曲がって貼り付けられているかどうか容易に確認できるので、孔カバーをまっすぐに貼り付け易いといった利点がある。
【００４１】
次に、端子台５と電線１０を接続させる際の動作について説明する。
まず、電線１０の露出芯線１２を端子台カバー６００のカバー挿入孔６１１に突き刺し、孔カバー６２０に電線１０を貫通させる。
【００４２】
そして、図５に示すように、電線１０を端子台５側へ、露出芯線１２が端子台５内の内部電極５２０に挿入されるまで押し込む。すると、露出芯線１２が電極外郭５２１とバネ部５２２との間に挿入され、バネ部５２２が露出芯線１２を電極外郭５２１に押し付け嵌合し、端子台５と電線１０を電気的に接続させることができる。
【００４３】
このとき、孔カバー６２０はカバー側面６１２の厚みよりも薄い弾性材料で形成されているため、露出芯線１２を突き刺した際に電線１０が貫通しやすく、弾性の高い弾性材料で形成されているため、電線１０を孔カバー６２０に突き刺した後、端子台５側へ変形しても元の形状に回復する力が働き、電線１０の被覆部１２に密着するので、孔カバー６２０と電線１０との隙間を極力小さく保つことができる。
【００４４】
なお、本実施例で示す孔カバー６２０はカバー側面６１２の裏側面に貼付されているが、カバー側面６１２の、端子台５と対向していない面（以下、表側面という）に貼付させたり、カバー挿入孔６１１の長手方向の途中に孔カバー６２０が挿入される空間を設け、該空間に挿入するとともに接着剤などで保持させたりしても同様の効果が得られる。
【００４５】
なお、孔カバー６２０をカバー側面６１２の表側面から取り付けた場合、どの位置にカバー挿入孔６１１が開口しているか目視確認できず、端子台カバーに電線１０を突き刺す際にどの位置にカバー挿入孔６１１が開口しているか分かり難いが、孔カバー６２０をカバー側面６１２の裏側面から取り付けた場合、カバー挿入孔６１１の位置を一目で確認することができるので端子台カバーに電線１０を突き刺す作業やおこない易いといった利点がある。
【００４６】
また、孔カバー６２０をカバー側面６１２の裏側面から取り付ける場合に、カバー側面６１２の裏側面の様子は、外観から確認することができないので、孔カバー６２０が曲がらないように気を配って貼り付ける必要がなく、作業効率を向上させることができる。
【００４７】
以上のように、端子台カバーに開口された開口部（貫通孔）を、電線によって破くことが容易な、弾性の高い弾性材料で形成された厚みの薄い孔カバーで覆っているので、端子台に電線を接続させる作業を行う場合、孔カバーを切除するなどの調整作業を行わずに、孔カバーに直接電線を突き刺すだけで、電線を貫通させることができ、また、孔カバーの材料性質により、孔カバーと電線の間の隙間を極力狭くして塵埃の端子台内部への侵入を防ぎ、接触不良又は短絡などを未然に防止することができる。
【００４８】
よって、本実施の形態１では、使い勝手が良く、塵埃の端子台内部への侵入を防止した、安全性の高い端子台カバーを備えた照明器具を提供することができる。
【００４９】
実施の形態２
実施の形態１では接着剤を使って孔カバーを外郭カバーに貼り付けていたが、接着剤が劣化した場合など孔カバーが剥がれるおそれがあった。そこで、実施の形態２では、より孔カバーの保持力を高めた端子台カバーを備えた点灯装置について説明する。
【００５０】
本発明の実施の形態２に係る端子台カバーについて図９〜図１１を用いて説明する。図９は、本実施の形態２に係る点灯装置の端子台および端子台カバーの断面図であり、図１０（ａ）は、本実施の形態２に係る点灯装置の端子台カバーの上面斜視図を示すもの、図１０（ｂ）は、本実施の形態２に係る点灯装置の端子台カバーの下面斜視図を示すものであり、図１１は本実施の形態２に係る端子台カバーの孔カバーの構成を示す図である。
【００５１】
この実施の形態２が実施の形態１と異なるのは、外郭カバーおよび孔カバーの形状、孔カバーの外郭カバーへの固定方法を変更した点である。その他の構成については実施の形態１と同一または同等であり、実施の形態１と同一又は同等な構成部分については同一符号を付し、その説明を省略する。
【００５２】
端子台カバー７００は、図９、図１０（ａ）、図１０（ｂ）に示すように、端子台５を覆うように取り付けられ、外郭カバー７１０と、外郭カバー７１０に開口した２個のカバー挿入孔７１１を塞ぐ孔カバー７２０を２個備えている。
【００５３】
外郭カバー７１０は、ＡＢＳなどのプラスチック部材のような弾性の高くない絶縁性材料によって形成されており、端子台５の側面である、端子凸面５１１を覆うカバー側面７１２と、端子台５の天面である、端子天面５１３を覆うカバー天面６１３を有している。
【００５４】
外郭カバー７１０には、外郭カバー７１０の位置を固定し、端子台５から容易に外れないよう設けられた、３組の凸部である、カバー凸部６１４、接触部６１５、スライド規制部６１６が形成されている。
【００５５】
また、外郭カバー７１０のカバー天面６１３には、端子台５の端子解除孔５１４と対向する位置に、端子解除孔５１４と連通する貫通孔であるカバー解除孔６１７が２個形成されている。
【００５６】
さらに、外郭カバー７１０のカバー側面７１１には、端子台５の端子挿入孔５１２と対向する位置に、外郭カバー７１０を貫通する断面丸型の貫通孔であるカバー挿入孔６１１が２個形成されており、カバー挿入孔６１１の直径は、電線１０の被覆部１１を含んだ直径よりも大きく形成されている。また、カバー側面７１１の厚みは、電気用品安全法の規定から、２．０ｍｍ以上になるよう形成することが望ましい。
【００５７】
カバー側面７１１の内部には、孔カバー７２０が入り込む挿入空間７１８が、カバー挿入孔６１１の周縁に、カバー挿入孔６１１ごとにひとつずつ形成されている。挿入空間７１８の断面はカバー挿入孔６１１の中心から円状に、孔カバー７２０の直径とほぼ同等の直径で形成されており、挿入空間７１８の厚みは孔カバー７２０の厚みとほぼ同等に形成されている。
【００５８】
孔カバー７２０は、図１１に示すように、シリコーン樹脂のような弾性の高い絶縁性材料によって外郭カバー６１０よりも薄い厚みで形成された円形状のカバーであり、孔カバー７２０の直径はカバー挿入孔６１１よりも大きな長さで形成されている。
【００５９】
孔カバー７２０は、図９に示すように、カバー側面７１１に形成されたそれぞれの挿入空間７１８内にインサート成形されカバー挿入孔６１１を塞いでいる。また、孔カバー７２０の厚みは、電線１０によって突き破ることができる厚みであり、例えば実施の１に記載したように、１．１ｍｍ未満の厚みにすることが望ましい。
【００６０】
なお、孔カバー７２０の形状は、丸形に限定せず、四角形でも八角形でもよいが、インサート成形をおこなうため、挿入空間７１８の形状は孔カバー７２０の形状に合わせる必要がある。
【００６１】
また、電線１０が貫通した際に、電線１０の被覆部１１と、電線１０が挿入されたことによって拡がる孔カバー７２０との隙間は、電気用品安全法の規定から、０．５ｍｍ未満になるようにすることが望ましく、孔カバー７２０の材質は、例えば、引張強度８０ｋｇｆ／ｃｍ２以上の特性を有する材質が望ましい。
【００６２】
次に、端子台５と電線１０を接続させる際の動作について説明する。
まず、特に図示はしていないが、図５と同様に、電線１０の露出芯線１２を端子台カバー７００のカバー挿入孔７１１に突き刺し、孔カバー７２０に電線１０を貫通させる。
【００６３】
そして、電線１０を端子台５側へ、露出芯線１２が端子台５内の内部電極５２０に挿入されるまで押し込む。すると、露出芯線１２が電極外郭５２１とバネ部５２２との間に挿入され、バネ部５２２が露出芯線１２を電極外郭５２１に押し付け嵌合し、端子台５と電線１０を電気的に接続させることができる。
【００６４】
このとき、孔カバー７２０はカバー側面６１２の厚みよりも薄い弾性材料で形成されているため、露出芯線１２を突き刺した際に電線１０が貫通しやすく、弾性の高い弾性材料で形成されているため、電線１０を孔カバー７２０に突き刺した後、端子台５側へ変形しても元の形状に回復する力が働き、電線１０の被覆部１２に密着するので、孔カバー７２０と電線１０との隙間を極力小さく保つことができる。
【００６５】
以上のように、端子台カバーに開口された開口部（貫通孔）を、電線によって破くことが容易な、弾性の高い弾性材料で形成された厚みの薄い孔カバーで覆っているので、端子台に電線を接続させる作業を行う場合、孔カバーを切除するなどの調整作業を行わずに、孔カバーに直接電線を突き刺すだけで、電線を貫通させることができ、また、孔カバーの材料性質により、孔カバーと電線の間の隙間を極力狭くして塵埃の端子台内部への侵入を防ぎ、接触不良又は短絡などを未然に防止することができる。
【００６６】
また、孔カバーの両面が外郭カバーで挟み込まれるとともに外郭カバーに固定されているので、電線を突き刺した際に孔カバーが端子台側方向へ働く力を外郭カバーによって支えるとともに、孔カバーが外郭カバーから剥がされる力をより高く阻止することができ、孔カバーを接着剤ではなく、インサート成形によって外郭カバーに溶着しているため、接着剤が劣化したことによって孔カバーが剥がれてしまう恐れがないので、孔カバーの外郭カバーへの保持力を向上させることができる。
【００６７】
よって、本実施の形態２では、孔カバーの外郭カバーへの保持力を向上させ、使い勝手が良く、塵埃の端子台内部への侵入を防止した、安全性の高い端子台カバーを備えた照明器具を提供することができる。
【００６８】
実施の形態３．
実施の形態１では外郭カバーに孔カバーを固定する際、カバー挿入孔とずれないよう気を付けながら固定する必要があり、作業者の負担となった。また、外郭カバーに孔カバーを固定した後、接着剤を塗付させ、孔カバーの外れを防止させる必要があり、作業時間や材料コストの面で負担となっていた。そこで、実施の形態３では、接着剤を使用せずに、孔カバーの外郭カバーからの外れを防止し、カバー挿入孔とのずれを気にせず、作業効率を向上させることができる端子台カバーを備えた点灯装置について説明する。
【００６９】
本発明の実施の形態３に係る端子台カバーについて図１２〜図１４を用いて説明する。
図１２は、本実施の形態３に係る点灯装置の端子台および端子台カバーを示す断面図であり、図１３（ａ）は、本実施の形態３に係る点灯装置の端子台カバーの上面斜視図を示すもの、図１３（ｂ）は、本実施の形態３に係る点灯装置の端子台カバーの下面斜視図を示すものであり、図１４は本実施の形態３に係る端子台カバーの孔カバーの構成を示す図である。
【００７０】
この実施の形態３が実施の形態１と異なるのは、孔カバーの形状および孔カバーの外郭カバーへの固定方法を変更した点である。その他の構成については実施の形態１と同一または同等であり、実施の形態１と同一又は同等な構成部分については同一符号を付し、その説明を省略する。
【００７１】
端子台カバー８００は、図１２、図１３（ａ）、図１３（ｂ）に示すように、端子台５を覆うように取り付けられ、外郭カバー６１０と、外郭カバー６１０に開口した２個のカバー挿入孔６１１を塞ぐ孔カバー８２０を２個備えている。
【００７２】
孔カバー８２０は、図１２に示すように、端子台カバー８００に嵌め込む形式のカバーであり、図１４に示すように、カバー挿入孔６１１を塞ぐ閉塞部８２１と、閉塞部８２１に一体成形され、カバー挿入孔６１１に嵌め込まれる挿入部８２２とを備えている。
【００７３】
閉塞部８２１は、シリコーン樹脂のような弾性の高い絶縁性材料によって形成され、カバー挿入孔６１１を塞ぐ、カバー挿入孔６１１よりも大きな直径からなる丸形のカバーである。
【００７４】
閉塞部８２１の厚みは、カバー側面６１２の厚みよりも薄く形成されており、電気用品安全法の規定から、カバー側面６１２の厚みと合わせて２．０ｍｍ以上になるよう形成することが望ましく、さらに、電線１０によって突き破ることができる、例えば実施の１に記載したように、１．１ｍｍ未満の厚みにすることが望ましい。閉塞部８２１の形状は、丸形に限定せず、四角形でも八角形でもよいが、カバー挿入孔６１１全体を覆う大きさが望ましい。
【００７５】
また、電線１０が貫通した際に、電線１０の被覆部１１と、電線１０が挿入されたことによって拡がる孔カバー８２０との隙間は、電気用品安全法の規定から、０．５ｍｍ未満になるようにすることが望ましく、孔カバー８２０の材質は、例えば、引張強度８０ｋｇｆ／ｃｍ２以上の特性を有する材質が望ましい。
【００７６】
挿入部８２２は、シリコーン樹脂のような弾性の高い絶縁性材料によって形成され、カバー挿入孔６１１の内面に接触する、カバー挿入孔６１１の内径よりも若干大きな長さの外径を備えた筒状のカバーであり、接着剤を塗付しなくとも、挿入部８２２がカバー挿入孔６１１に密着し挿入部８２２がカバー側面６１２に保持される大きさ、弾粘性で形成されている。また、挿入部８２２の長さは外郭カバー６１０からはみ出さないよう、カバー側面６１２の厚みとほぼ同等の長さで形成されている。
【００７７】
なお、孔カバー８２０を外郭カバー６１０に取付ける場合、閉塞部８２１が端子台５と対向するカバー側面６１２の裏側面に設けられるよう、カバー側面６１２の裏側面から、カバー挿入孔６１１に挿入部８２２を嵌め込み、孔カバー８２０を端子台カバー８００に保持させる。
【００７８】
このとき、カバー挿入孔６１１の位置を一目で確認することが容易という観点から、カバー側面６１２の裏側面から挿入部８２２を嵌め込んでいるが、カバー側面６１２の表側面からでもカバー挿入孔６１１に挿入部８２２を嵌め込むことは可能である。
【００７９】
このように、カバー挿入孔６１１に孔カバー８２０の挿入部８２２を嵌め込むだけで取り付けられるため、孔カバー８２０のカバー挿入孔６１１とのずれなどを気にすることなく、容易に孔カバー８２０の位置決めができ、接着剤を塗付させる必要もないため、カバー側面６１２に孔カバー８２０を固定させる際の作業効率を上げることができる。
【００８０】
次に、端子台５と電線１０を接続させる際の動作について説明する。
まず、特に図示はしていないが、図５と同様に、電線１０の露出芯線１２を端子台カバー８００のカバー挿入孔６１１に突き刺し、孔カバー８２０に電線１０を貫通させる。
【００８１】
そして、電線１０を端子台５側へ、露出芯線１２が端子台５内の内部電極５２０に挿入されるまで押し込む。すると、露出芯線１２が電極外郭５２１とバネ部５２２との間に挿入され、バネ部５２２が露出芯線１２を電極外郭５２１に押し付け嵌合し、端子台５と電線１０を電気的に接続させることができる。
【００８２】
このとき、孔カバー８２０の閉塞部８２１はカバー側面６１２の厚みよりも薄い弾性材料で形成されているため、露出芯線１２を突き刺した際に電線１０が貫通しやすく、弾性の高い弾性材料で形成されているため、電線１０を閉塞部８２１に突き刺した後、端子台５側へ変形しても元の形状に回復する力が働き、電線１０の被覆部１２に密着するので、孔カバー８２０と電線１０との隙間を極力小さく保つことができる。
【００８３】
以上のように、端子台カバーに開口された開口部（貫通孔）を、電線によって破くことが容易な、弾性の高い弾性材料で形成された厚みの薄い孔カバーで覆っているので、端子台に電線を接続させる作業を行う場合、孔カバーを切除するなどの調整作業を行わずに、孔カバーに直接電線を突き刺すだけで、電線を貫通させることができ、また、孔カバーの材料性質により、孔カバーと電線の間の隙間を極力狭くして塵埃の端子台内部への侵入を防ぎ、接触不良又は短絡などを未然に防止することができる。
【００８４】
さらに、カバー挿入孔に孔カバーをはめ込むことで容易に孔カバーの位置決めができ、また、孔カバーの挿入部が外郭カバーに密着して保持されているため、接着剤を塗付しなくても孔カバーが端子台カバーに保持される。
【００８５】
よって、本実施の形態３では、作業効率を向上させ、材料コストを削減させた、使い勝手が良く、塵埃の端子台内部への侵入を防止した、安全性の高い端子台カバーを備えた照明器具を提供することができる。
【００８６】
また、本実施の形態で示す孔カバーは、ひとつの閉塞部とひとつの挿入部から構成されているが、閉塞部の形状を、実施の形態１の孔カバーのような、２個のカバー挿入孔を塞ぐ長方形状にし、ひとつの閉塞部と２個の挿入部が一体成形された構成にしてもよく、そのような形状にすることで、ひとつずつ挿入していた孔カバーを、一度で２個挿入させることができ、作業効率を倍にすることができる。
【００８７】
実施の形態４．
実施の形態３では孔カバーの挿入部の端子台カバーへの密着が弱い場合、電線を挿入させるだけで孔カバーが端子台カバーから外れてしまうおそれがあった。そこで、実施の形態４では、孔カバーの挿入部の端子台カバーへの密着が弱い場合でも孔カバーの端子台カバーからの外れを防止し、孔カバーの端子台カバーへの保持力を向上させた端子台カバーを備えた点灯装置について説明する。
【００８８】
本発明の実施の形態４に係る端子台カバーについて図１５〜１５を用いて説明する。
図１５は、本実施の形態４に係る点灯装置の端子台および端子台カバーの断面図であり、図１６（ａ）は、本実施の形態４に係る点灯装置の端子台カバーの上面斜視図を示すもの、図１６（ｂ）は、本実施の形態４に係る点灯装置の端子台カバーの下面斜視図を示すものであり、図１７は本実施の形態４に係る端子台カバーの孔カバーの構成を示す図である。
【００８９】
この実施の形態４が実施の形態１と異なるのは、孔カバーの形状を変更した点である。その他の構成については実施の形態１と同一または同等であり、実施の形態１と同一又は同等な構成部分については同一符号を付し、その説明を省略する。
【００９０】
端子台カバー９００は、図１６、図１７（ａ）、図１７（ｂ）に示すように、端子台５を覆うように取り付けられ、外郭カバー６１０と、外郭カバー６１０に開口した２個のカバー挿入孔６１１を塞ぐ孔カバー９２０を２個備えている。
【００９１】
孔カバー９２０は、図１５示すように、カバー側面６１２の裏側面からカバー側面６１２を挟み、カバー挿入孔６１１を塞ぐ閉塞部９２１と、閉塞部９２１に一体成形され、カバー挿入孔６１１に挿入される挿入部９２２と、挿入部９２２に一体成形され、カバー側面６１２の表側面からカバー挿入孔６１１の周縁を覆いカバー側面６１２を挟みこむ円環部９２３を備えている。
【００９２】
閉塞部９２１は、シリコーン樹脂のような弾性の高い絶縁性材料によって形成され、カバー挿入孔６１１を塞ぐ、カバー挿入孔６１１よりも大きな長さの直径からなる丸形のカバーである。
【００９３】
閉塞部９２１の厚みは、カバー側面６１２の厚みよりも薄く形成されており、電線１０によって突き破ることができる、例えば実施の１に記載したように、１．１ｍｍ未満の厚みにすることが望ましい。閉塞部９２１の形状は、丸形に限定せず、四角形でも八角形でもよいが、カバー挿入孔６１１全体を覆う大きさが望ましい。
【００９４】
挿入部９２２は、シリコーン樹脂のような弾性の高い絶縁性材料によって形成され、カバー挿入孔６１１の内面に接触する、カバー挿入孔６１１の内径と同等の長さの外径を備えた筒状のカバーである。
【００９５】
また、挿入部９２２の長さはカバー側面６１２の厚みとほぼ同等の長さもしくはカバー側面６１２の厚みよりも若干短い長さで形成され、閉塞部９２１と円環部９２３がカバー側面６１２に隙間なく密着させるような長さが望ましい。
【００９６】
円環部９２３は、シリコーン樹脂のような弾性の高い絶縁性材料によって形成され、カバー挿入孔６１１の周縁を覆う、挿入部９２２の内径と同じ大きさの内径と、カバー挿入孔６１１の直径よりも大きな外径からなる円環状のカバーである。
【００９７】
なお、円環部９２３の外径は、電線１０を孔カバー９２０に突き刺した際に押し込まれる閉塞部９２１と共に端子台５側へ引っ張られることによりカバー挿入孔６１１へ引き込まれることが無いよう、端子台５の方向へ引っ張られてもカバー側面６１２の表面への密着が保たれる程度の大きさの直径を有している。
【００９８】
また、端子台カバー５の側面の厚みは、電気用品安全法の規定から、閉塞部９２１と円環部９２３の厚みと合わせて２．０ｍｍ以上になるよう形成することが望ましく、また、電線１０が貫通した際に、電線１０の被覆部１１と、電線１０が挿入されたことによって拡がる、孔カバー６２０との隙間は、電気用品安全法の規定から、０．５ｍｍ未満になるよう、孔カバー９２０の材質は、例えば、引張強度８０ｋｇｆ／ｃｍ２以上の特性を有する材質が望ましい。
【００９９】
なお、孔カバー９２０を外郭カバー６１０に取付ける場合、閉塞部９２１が端子台５と対向するカバー側面６１２の裏側面に設けられるよう、カバー側面６１２の裏側面から、カバー挿入孔６１１に円環部９２３および挿入部９２２を挿入し、カバー側面６１２の表側面に貫通した円環部９２３によって、カバー側面６１２の表側面に開口しているカバー挿入孔６１１の周りを覆い、カバー側面６１２を挟み込んで、孔カバー９２０を端子台カバー９００に保持させる。
【０１００】
このとき、カバー挿入孔６１１の位置を一目で確認することが容易という観点から、カバー側面６１２の裏側面から円環部９２３および挿入部９２２を挿入させているが、カバー側面６１２の表側面からカバー挿入孔６１１に円環部９２３および挿入部９２２を挿入させても、孔カバー９２０を端子台カバー９００に保持させることが可能である。
【０１０１】
次に、端子台５と電線１０を接続させる際の動作について説明する。
まず、特に図示はしていないが、図５と同様に、電線１０の露出芯線１２を端子台カバー９００のカバー挿入孔６１１に突き刺し、孔カバー９２０に電線１０を貫通させる。
【０１０２】
そして、電線１０を端子台５側へ、露出芯線１２が端子台５内の内部電極５２０に挿入されるまで押し込む。すると、露出芯線１２が電極外郭５２１とバネ部５２２との間に挿入され、バネ部５２２が露出芯線１２を電極外郭５２１に押し付け嵌合し、端子台５と電線１０を電気的に接続させることができる。
【０１０３】
このとき、孔カバー９２０の閉塞部９２１はカバー側面６１２の厚みよりも薄い弾性材料で形成されているため、露出芯線１２を突き刺した際に電線１０が貫通しやすく、弾性の高い弾性材料で形成されているため、電線１０を閉塞部９２１に突き刺した後、端子台５側へ変形しても元の形状に回復する力が働き、電線１０の被覆部１２に密着するので、孔カバー９２０と電線１０との隙間を極力小さく保つことができる。
【０１０４】
また、電線１０を閉塞部９２１に突き刺した際、閉塞部９２１が端子台５の方向へ押し込まれると、閉塞部と一体成形された挿入部が端子台５の方向へ引き込まれるが、円環部はカバー側面の表側に密着して張り付き、端子台５の方向へ引き込まれることを防いでいるため、孔カバー９２０が端子台カバー９００から外れることはない。
【０１０５】
以上のように、端子台カバーに開口された開口部（貫通孔）を、電線によって破くことが容易な、弾性の高い弾性材料で形成された厚みの薄い孔カバーで覆っているので、端子台に電線を接続させる作業を行う場合、孔カバーを切除するなどの調整作業を行わずに、孔カバーに直接電線を突き刺すだけで、電線を貫通させることができ、また、孔カバーの材料性質により、孔カバーと電線の間の隙間を極力狭くして塵埃の端子台内部への侵入を防ぎ、接触不良又は短絡などを未然に防止することができる。
【０１０６】
また、孔カバーは、挿入部の一端に設けられた閉塞部と挿入部の他端部に設けられた円環部によってカバー側面を挟み込んでいるので、カバー側面に孔カバーを取り付ける際に接着剤を用いなくても、孔カバーが外郭カバーから外れないように取付けることができるとともに、孔カバーには、カバー側面の表側面からカバー挿入孔の円周を覆う円環部が設けられているので、電線を挿入させることで外れるおそれのある孔カバーが外れることのないよう端子台カバーへ保持させることができる。
【０１０７】
よって、本実施の形態４では、端子台カバーへの保持力を向上させ、低コストで、使い勝手が良く、塵埃の端子台内部への侵入を防止した、安全性の高い端子台カバーを備えた照明器具を提供することができる。
【０１０８】
実施の形態５．
実施の形態１では端子台に電線を接続する際、孔カバーを突き破るための力を込める必要があるため、突き破る作業が作業者の負担となった。そこで、実施の形態５では、より作業効率を向上させることのできる端子台カバーを備えた点灯装置について説明する。
【０１０９】
本発明の実施の形態５に係る端子台カバーについて図１８〜図２０を用いて説明する。
図１７は、本実施の形態５に係る点灯装置の端子台および端子台カバーに電線を接続した状態を示す断面図であり、図１９（ａ）は、本実施の形態５に係る点灯装置の端子台カバーの上面斜視図であり、図１９（ｂ）は、端子台カバーの下面斜視図を示すものであり、図２０は本実施の形態５に係る端子台カバーの孔カバーの構成を示す図である。
【０１１０】
この実施の形態５が実施の形態１と異なるのは、孔カバーの形状を変更した点である。その他の構成については実施の形態１と同一または同等であり、実施の形態１と同一又は同等な構成部分については同一符号を付し、その説明を省略する。
【０１１１】
端子台カバー１０００は、図１８、図１９（ａ）、図１９（ｂ）に示すように、端子台５を覆うように取り付けられ、外郭カバー６１０と、外郭カバー６１０に開口したカバー挿入孔６１１を塞ぐ孔カバー１０２０を備えている。
【０１１２】
孔カバー１０２０は、シリコーン樹脂のような弾性の高い絶縁性材料によって形成されており、図１９（ｂ）に示すように、外郭カバー６１０に設けられた２個のカバー挿入孔６１１を塞ぐよう長方形の形状を有し、端子台５と対向する、カバー側面６１２の裏側面に接着剤によって貼付されている。また、孔カバー１０２０の厚みは、電気用品安全法の規定から、カバー側面６１２の厚みと合わせて２．０ｍｍ以上になるよう形成することが望ましい。
【０１１３】
また、孔カバー１０２０は、カバー挿入孔６１１に対向する位置に、放射状の切込み部１０２１が形成されている。切込み部１０２１の大きさは、電気用品安全法の規定から、電線１０が挿入されたことによって拡がる切込み部１０２１と電線１０の被覆部１１との隙間が０．５ｍｍ未満になるよう、電線１０の被覆部１１を含む直径よりも若干小さく形成されている。
【０１１４】
また、切込み部１０２１の孔カバー１０２０の厚み方向の深さは、長さに関係なく、孔カバー１０２０の、端子台５と対向していない面から切り込まれていれば、孔カバー１０２０に切込み部１０２１が形成されていない場合と比較し、軽い力で電線１０を貫通させることができるが、切込み部１０２１の深さが深ければ深いほど、孔カバー１０２０に電線１０を貫通させる力は軽くなる。
【０１１５】
また、切込み部１０２１の孔カバー１０２０の厚み方向の深さが、孔カバー１０２０の厚みと同じ、孔カバー１０２０を貫く深さであれば、孔カバー１０２０を電線１０によって破る必要がないのでもっとも軽く電線１０を貫通させることができる。
【０１１６】
次に、端子台５と電線１０を接続させる際の動作について説明する。
まず、特に図示はしていないが、図５と同様に、電線１０の露出芯線１２を端子台カバー１０００のカバー挿入孔６１１に突き刺し、孔カバー１０２０に電線１０を貫通させる。
【０１１７】
そして、電線１０を端子台５側へ、露出芯線１２が端子台５内の内部電極５２０に挿入されるまで押し込む。すると、露出芯線１２が電極外郭５２１とバネ部５２２との間に挿入され、バネ部５２２が露出芯線１２を電極外郭５２１に押し付け嵌合し、端子台５と電線１０を電気的に接続させることができる。
【０１１８】
このとき、孔カバー１０２０は弾性の高い弾性材料で形成されているため、電線１０を孔カバー１０２０に突き刺した後、端子台５側へ変形しても元の形状に回復する力が働き、貫通した電線１０によって破られ分割された孔カバー１０２０が電線１０の被覆部１２に密着するので、孔カバー１０２０と電線１０との隙間を極力狭くすることができる。
【０１１９】
以上のように、端子台カバーに開口された開口部（貫通孔）を、電線によって破くことが容易な、弾性の高い弾性材料で形成された孔カバーで覆っているので、端子台に電線を接続させる作業を行う場合、孔カバーを切除するなどの調整作業を行わずに、孔カバーに直接電線を突き刺すだけで、電線を貫通させることができ、また、孔カバーの材料性質により、孔カバーと電線の間の隙間を極力狭くして塵埃の端子台内部への侵入を防ぎ、接触不良又は短絡などを未然に防止することができる。
【０１２０】
また、孔カバーには放射状の切込みを設けたので、電線を孔カバーに貫通させる際、端子台カバーを突き破る力を多く必要とせず、力を入れずにスムーズに端子台に電線を貫通させることができ、作業効率を向上させることができる。
【０１２１】
さらに、実施の形態１の形態では、孔カバーに一度電線を貫通させると、孔が開いてしまうため、電線を一度刺し誤ることで孔カバーの破れ目の隙間から端子台の電極が現れてしまい、その隙間から塵埃が浸入するおそれがあるが、本実施の形態においては、はじめから孔カバーに切込みが設けられているので、電線を貫通させた後でも孔カバーの挿入面（電線が挿入し始める面）に破れ目をつくることなく、電線を貫通させる前の状態を維持するため、電線を何度貫通させても塵埃の侵入を防止することができる。
【０１２２】
よって、本実施の形態５では、電線の端子台への接続作業効率を向上させ、より使い勝手が良く、塵埃の端子台内部への侵入を防止した、安全性の高い端子台カバーを備えた照明器具を提供することができる。
【０１２３】
なお、実施の形態２〜４においても、孔カバーの電線を貫通させる箇所に本実施の形態の孔カバーに設けた切込みと同様の切込みを設けることで、本実施と同様の効果を得ることができる。
【０１２４】
なお、本実施の形態１〜５では、端子台に２個の端子部が配設されているため、端子台カバーに２個のカバー挿入孔、２個のカバー解除孔を有しているが、１つの端子台にいくつの端子部を配設するかについては限りがない。よって、カバー挿入孔およびカバー解除孔は、端子台に配設している端子部の数に合わせて形成することで、端子部の数が変わっても本実施の形態と同様の効果を得ることができる。
【０１２５】
なお、本文中に記載されている厚み２．０ｍｍ、隙間０．５ｍｍは、電気用品安全法に基づいた値である。電気用品安全法により、人が触れることのできる箇所（本実施の形態１〜５でいう、端子台カバーのカバー側面の表側面）から、端子台に接続された電線の被覆部と露出芯線との境目までの距離が１２．０ｍｍ以上離れていない場合、絶縁物の厚み（本実施の形態１、３〜５でいう、孔カバーの厚みとカバー側面の厚みを足した端子台カバーの厚み。本実施の形態２でいう、端子台カバーのカバー側面の厚み。）は、２．０ｍｍ以上なければならず、かつ、電線が挿入されたことによって拡がる孔カバーと電線の被覆部との隙間は０．５ｍｍ未満でなければいけないと規定されている。
【符号の説明】
【０１２６】
１  点灯装置、２  照明器具、３  回路基板、４  点灯装置ケース、４ａ  点灯基板ケース、４ｂ  点灯装置カバー、５  端子台、５ａ  入力端子台、５ｂ  出力端子台、５１０  外郭ケース、５１１  端子凸面、５１２  端子挿入孔、５１３  天面、５１４  端子解除孔、５２０  内部電極、５２１  電極外郭、５２２  バネ部、６００  端子台カバー、６００ａ  入力端子台カバー、６００ｂ  出力端子台カバー、６１０  外郭カバー、６１１  カバー挿入孔、６１２  カバー側面、６１３  カバー天面、６１４  カバー凸部、６１５  接触部、６１６  スライド規制部、６１７  カバー解除孔、６２０  孔カバー、７００  端子台カバー、７１０  外郭カバー、７１１  カバー側面、７１８  挿入空間、７２０  孔カバー、８００  端子台カバー、８２０  孔カバー、８２１  閉塞部、８２２  挿入部、９００  端子台カバー、９２０  孔カバー、９２１  閉塞部、９２２  挿入部、９２３  円環部、１０００  端子台カバー、１０２０  孔カバー、１０２１  切込み部、１０  電線、１１  被覆部、１２  露出芯線。
【図１】
2015106560.tif 000003
【図２】
2015106560.tif 000004
【図３】
2015106560.tif 000005
【図４】
2015106560.tif 000006
【図５】
2015106560.tif 000007
【図６】
2015106560.tif 000008
【図７】
2015106560.tif 000009
【図８】
2015106560.tif 000010
【図９】
2015106560.tif 000011
【図１０】
2015106560.tif 000012
【図１１】
2015106560.tif 000013
【図１２】
2015106560.tif 000014
【図１３】
2015106560.tif 000015
【図１４】
2015106560.tif 000016
【図１５】
2015106560.tif 000017
【図１６】
2015106560.tif 000018
【図１７】
2015106560.tif 000019
【図１８】
2015106560.tif 000020
【図１９】
2015106560.tif 000021
【図２０】
2015106560.tif 000022